(57)【要約】【課題】浴室内の汚れの程度を検知でき、浴室内の汚れの程度を監視する負担を軽減して浴室内を清潔に保つことができる浴室汚れ検知装置を提供する。【解決手段】浴室１内の所定箇所を被検知部２とする。被検知部２を透過する光又は被検知部２で反射する光を受ける受光部４を備える。受光部４の受光量に基づいて被検知部２の汚れの程度を検知する汚れ検知手段を備える。【選択図】図１
2009125511.tif 000002
【特許請求の範囲】
【請求項１】
浴室内の所定箇所を被検知部とし、被検知部を透過する光又は被検知部で反射する光を受ける受光部と、該受光部の受光量に基づいて被検知部の汚れの程度を検知する汚れ検知手段を備えることを特徴とする浴室汚れ検知装置。
【請求項２】
上記被検知部に向けて光を照射する発光部を備えることを特徴とする請求項１に記載の浴室汚れ検知装置。
【請求項３】
上記発光部から被検知部に向けて照射する光をレーザー光とすることを特徴とする請求項２に記載の浴室汚れ検知装置。
【請求項４】
浴室内に光量検知手段を設け、光量検知手段により検知した浴室内の光量が所定量以下である時に前記発光部から被検知部に光を照射し、この際に上記汚れ検知手段は被検知部の汚れの程度を検知することを特徴とする請求項２又は請求項３に記載の浴室汚れ検知装置。
【請求項５】
上記受光部と発光部は一体に構成されて浴室に設置されている浴室構成部材に対して着脱自在であることを特徴とする請求項２乃至４のいずれか１項に記載の浴室汚れ検知装置。
【請求項６】
上記汚れ検知手段は受光部の受光量と閾値を比較して汚れの程度を検知するものであり、前記閾値を変更するための閾値変更手段を備えることを特徴とする請求項１乃至５のいずれか１項に記載の浴室汚れ検知装置。
【請求項７】
上記受光部を浴室の壁又は浴槽又はエプロンから浴室内に突出する突出部の下方空間に面する箇所に設けることを特徴とする請求項１乃至６のいずれか１項に記載の浴室汚れ検知装置。
【請求項８】
上記被検知部を含む浴室内の所定箇所を被洗浄部とし、該被洗浄部を洗浄する洗浄装置と、上記汚れ検知手段により被検知部が汚れていることを検知した際に前記洗浄装置により被洗浄部を自動的に洗浄する制御手段を備えることを特徴とする請求項１乃至７のいずれか１項に記載の浴室汚れ検知装置。
【請求項９】
上記被検知部を乾燥する乾燥手段又は被検知部が乾燥状態にあることを検知する乾燥状態検知手段を備え、上記汚れ検知手段は、乾燥手段により被検知部を乾燥した後に被検知部の汚れの程度を検知する、又は乾燥状態検知手段により被検知部が乾燥状態にあることを検知した時に被検知部の汚れの程度を検知することを特徴とする請求項１乃至８のいずれか１項に記載の浴室汚れ検知装置。
【請求項１０】
上記被検知部に散水する散水装置を備え、上記汚れ検知手段は、散水装置により被検知部に水を付着させた後に被検知部の汚れの程度を検知することを特徴とする請求項１乃至８のいずれか１項に記載の浴室汚れ検知装置。
【請求項１１】
上記受光部に対向する箇所に受光部を保護するための透光性を有する保護カバーを着脱自在に配設することを特徴とする請求項１乃至１０のいずれか１項に記載の浴室汚れ検知装置。
【発明の詳細な説明】
【技術分野】
【０００１】
本発明は浴室内の汚れを検知するための浴室汚れ検知装置に関する。
【背景技術】
【０００２】
浴室内が汚れた状態で放置されると、カビ等が発生して衛生上好ましくなく、また汚れが取れ難くなって清掃作業の負担が増す等の問題が生じる。このため浴室内の汚れの状態を監視し、汚れが発生した時には速やかに清掃を行う必要がある。
【０００３】
しかし、上記監視は現状視認により行われており、このような監視を定期的に行うことは非常に面倒であり敬遠される。このため浴室が非常に汚れた状態となった時に初めて汚れていると気付くことが多々あり、この場合、浴室内は非常に不潔な状態になり、また、汚れが酷く取れ難い状態となって清掃作業の負担が増す。また、特に浴室内にはカウンタの下方空間に面する箇所等の非常に見え難い箇所が存在し、このような箇所は特に見落とされやすく、上記問題が生じやすい。
【０００４】
なお、従来では浴室内の清掃作業の負担を軽減するために例えば特許文献１に示すような浴室内の洗浄を行う浴室洗浄装置が知られている。
【特許文献１】特開２００４−２９０３９７号公報
【発明の開示】
【発明が解決しようとする課題】
【０００５】
本発明は上記従来の問題点に鑑みてなされたものであって、浴室内の汚れの程度を検知でき、浴室内の汚れの程度を監視する負担を軽減して浴室内を清潔に保つことができる浴室汚れ検知装置を提供することを課題とするものである。
【課題を解決するための手段】
【０００６】
上記課題を解決するために本発明に係る浴室汚れ検知装置は、浴室１内の所定箇所を被検知部２とし、被検知部２を透過する光又は被検知部２で反射する光を受ける受光部４と、該受光部４の受光量に基づいて被検知部２の汚れの程度を検知する汚れ検知手段を備えることを特徴とする。上記構成により、浴室１内の所定箇所である被検知部２を透過する光又は被検知部２で反射する光を受ける受光部４で受ける光量に基づいて被検知部２の汚れの程度を検知できる。
【０００７】
また、請求項２は請求項１において、上記被検知部２に向けて光を照射する発光部３を備えることを特徴とする。発光部３からの光を被検知部２を介して受光部４に当てて外乱による影響を低減でき、汚れの程度を確実に検知できる。
【０００８】
また、請求項３は請求項２において、上記発光部３から被検知部２に向けて照射する光をレーザー光とすることを特徴とする。被検知部２に向けて照射される光を直進性の高いレーザー光とすることで、発光部３から照射された光を被検知部２を介して受光部４に確実に当てて外乱による影響を低減でき、汚れの程度を確実に検知できる。
【０００９】
また、請求項４は請求項２又は請求項３において、浴室１内に光量検知手段を設け、光量検知手段により検知した浴室１内の光量が所定量以下である時に発光部３から被検知部２に光を照射し、この際に上記汚れ検知手段は被検知部２の汚れの程度を検知することを特徴とする。晴れた日の昼間や浴室照明装置を点灯している時等には太陽光や浴室照明装置の光が受光部４に到達して検知精度が低下する恐れがるが、上記のように光量検知手段により検知した浴室１内の光量が所定量以下である時にのみ被検知部２の汚れの程度を検知することで、夜間などの前記検知精度の低下要因の影響を受け難い時に汚れの程度を検知でき、検知精度を高めることができる。
【００１０】
また、請求項５は請求項２乃至４のいずれか１項において、上記受光部４と発光部３は一体に構成されて浴室１に設置されている浴室構成部材に対して着脱自在であることを特徴とする。受光部４及び発光部３の保守点検を容易に行うことができる。
【００１１】
また、請求項６は請求項１乃至５のいずれか１項において、上記汚れ検知手段は受光部４の受光量と閾値を比較して汚れの程度を判定するものであり、前記閾値を変更するための閾値変更手段を備えることを特徴とする。閾値を変更することで、汚れ検知手段によって検知される汚れの程度を個々人の感覚に合わせることができ、また、浴室１の環境変化等にも対応できる。
【００１２】
また、請求項７は請求項１乃至６のいずれか１項において、上記受光部４を浴室１の壁７又は浴槽５又はエプロン６から浴室１内に突出する突出部の下方空間に面する箇所に設けることを特徴とする。受光部４を浴室１において目立ち難い箇所に配置できる。
【００１３】
また、請求項８は請求項１乃至７のいずれか１項において、上記被検知部２を含む浴室１内の所定箇所を被洗浄部２４とし、該被洗浄部２４を洗浄する洗浄装置２５と、上記汚れ検知手段により被検知部２が汚れていることを検知した際に前記洗浄装置２５により被洗浄部を自動的に洗浄する制御手段を備えることを特徴とする。被検知部２が汚れた際には被検知部２を含む被洗浄部２４を自動的に洗浄でき、これにより被検知部２を含めた浴室１内の見え難い箇所を清潔に保つことできる。
【００１４】
また、請求項９は請求項１乃至８のいずれか１項において、上記被検知部２を乾燥する乾燥手段又は被検知部２が乾燥状態にあることを検知する乾燥状態検知手段を備え、上記汚れ検知手段は、乾燥手段により被検知部２を乾燥した後に被検知部２の汚れの程度を検知する、又は乾燥状態検知手段により被検知部２が乾燥状態にあることを検知した時に被検知部２の汚れの程度を検知することを特徴とする。被検知部２が乾燥状態にある時にのみ被検知部２の汚れの程度を検知でき、検知精度を高めることができる。
【００１５】
また、請求項１０は請求項１乃至８のいずれか１項において、上記被検知部２に散水する散水装置を備え、上記汚れ検知手段は、散水装置により被検知部２に水を付着させた後に被検知部２の汚れの程度を検知することを特徴とする。被検知部２が同様に濡れた状態で被検知部２の汚れの程度を検知でき、検知精度を高めることができる。
【００１６】
また、請求項１１は請求項１乃至１０のいずれか１項において、上記受光部４に対向する位置に受光部４を保護するための透光性を有する保護カバー１７を着脱自在に配設することを特徴とする。保護カバー１７を容易に洗浄でき、検知精度を維持できる。
【発明の効果】
【００１７】
本発明では浴室内の汚れの程度を容易に監視でき、該検知結果を利用して浴室内を清潔に保つことが可能となる。
【発明を実施するための最良の形態】
【００１８】
以下、本発明の実施例を添付図面に基づいて順に説明する。
【００１９】
（第一実施例）
まず、第一実施例について説明する。図１に示す本例の浴室汚れ検知装置は、浴室１内の所定箇所を被検知部２とするものであり、被検知部２に向けて光を照射する発光部３と、被検知部２で反射した発光部３からの光を受ける受光部４と、該受光部４の受光量に基づいて被検知部２の汚れの程度を検知する汚れ検知手段を備えている。
【００２０】
被検知部２に設定される箇所としては、例えば浴室１の壁７又は浴槽５又はエプロン６等から浴室１内に突出する突出部（例えばカウンタ８やカラン３０、棚等）の下方空間に面する箇所を挙げることができ、本例では浴室１の壁７から突出したカウンタ８の下方空間に面する箇所、より具体的には浴室１の洗い場９を構成する床面３１においてカウンタ８の下方に位置する部分を被検知部２としている。なお、被検知部２は、浴室１の壁７又は浴槽５又はエプロン６等から浴室１内に突出するその他の突出部の下方空間に面する箇所としても良く、また、浴室１内のその他の箇所としても良い。
【００２１】
図１に示す板状のカウンタ８は浴槽５とこれに洗い場９を介して対向する浴室１の壁７との間に架設してあり、その先端面にはカラン３０を設けている。カウンタ８の下面には受光部４を有する受光ユニット１０と発光部３を有する発光ユニット１１を設けてあり、発光ユニット１１は受光ユニット１０よりもカウンタ８の先端側に位置している。
【００２２】
図２に示すように発光部３は発光ユニット１１の外郭を構成するケース１２に内装してある。発光部３としては、レーザー光源、蛍光灯、発光ダイオード等の種々の光源を用いることができるが、好ましくは直進性の高いレーザー光を照射するレーザー光源が良い。被検知部２に向けて照射される光を直進性の高いレーザー光とすることで、発光部３から照射された光を被検知部２を介して受光部４に確実に当てることができ、外乱による検知結果への影響を低減できるからである。ケース１２の下面部において発光部３に対向する箇所にはカバー取付孔１３を設けてあり、カバー取付孔１３には発光部３を保護するための透光性を有する保護カバー１４を着脱自在に取り付けてある。
【００２３】
また、図３に示すように受光センサからなる受光部４は受光ユニット１０の外郭を構成するケース１５に内装してある。ケース１５の下面部において受光部４に対向する箇所にはカバー取付孔１６を設けてあり、カバー取付孔１６には受光部４を保護するための透光性を有する保護カバー１７を着脱自在に取り付けてある。つまり本例では受光ユニット１０のケース１５により保護カバー１７が取り付けられる。発光ユニット１１及び受光ユニット１０の夫々の保護カバー１４、１７をケース１２、１５に対して着脱自在としたのは、各ケース１２、１５から保護カバー１４、１７を取り外して容易に洗浄を行えるようにするためであり、これにより検知精度を維持できる。
【００２４】
また、浴室汚れ検知装置は検知した汚れの程度を通知する通知手段として浴室１内又は浴室１外に設けたディスプレイ装置のような表示部１８を備えており、該表示部１８並びに上記発光部３及び受光部４は制御回路からなる制御部１９に電気的に接続してあり、制御部１９により制御される。
【００２５】
ここで、被検知部２が汚れた場合、被検知部２での光の反射量が減少し、このため発光部３から発光した光は受光部４に届き難くなり、受光部４での受光量が減少する。つまり、発光部３から光を照射した場合、受光部４の受光量は被検知部２の汚れの程度により変化するものであり、これを利用して本例の浴室汚れ検知装置は被検知部２の汚れの程度を検知する。
【００２６】
即ち、被検知部２の汚れを検知する場合、制御部１９は、発光部３から被検知部２に向けて光を照射して、該発光部３からの光を被検知部２で反射させて受光部４に到達させ、この時の受光部４の受光量と予め設定した閾値を比較し、これにより被検知部２の汚れの程度を判定し、この検知結果を表示部１８にて表示する。即ち本例では制御部１９により汚れ検知手段を構成している。
【００２７】
以上説明した本例の浴室汚れ検知装置は、発光部３と受光部４を利用して浴室１内の被検知部２の汚れの程度を検知でき、浴室１内の汚れの程度を監視する負担を軽減できる。また、本例では受光部４及び発光部３を浴室１の壁７又は浴槽５又はエプロン６から浴室１内に突出する突出部の下方空間に面する箇所に設けたので、受光部４及び発光部３を目立ち難くできる。
【００２８】
なお、上記制御部１９による被検知部２の汚れの程度の検知及び表示は常時又は定期的に行われるものとするが、使用者によって操作される操作部又は他の装置からの指令により行われるものであっても良い。また、上記汚れの程度の検知は２段階の汚れの程度（即ち汚れの有無）を検知するものであっても良いし、３段階以上の汚れの程度を検知するものであっても良い。
【００２９】
ここで、浴室１内に照度センサ（図示せず）等の光量検知手段を設け、汚れ検知手段を光量検知手段により検知した浴室１内の光量が所定量以下である時にのみ発光部３から被検知部２に光を照射して被検知部２の汚れの程度を検知するものとすることが好ましい。晴れた日の昼間や浴室照明装置を点灯している時等には浴室１内に射し込んだ太陽光や浴室照明装置の光が受光部４に到達して検知精度が低下する恐れがあるが、上記のように光量検知手段により検知した浴室１内の光量が所定量以下である時にのみ被検知部２の汚れの程度を検知すると、前記検知精度の低下要因の影響を受け難くでき、検知精度を向上できる。なお、光量検知手段は上記カウンタ８等の突出部の下方空間に面する箇所、即ち被検知部２の近傍の浴室１の通常使用時において特に見え難い箇所に設けても良いし、被検知部２から離れた箇所に設けても良い。また、受光部４により光量検知手段を構成しても良い。
【００３０】
また、図４のように上記被検知部２を金属や鏡面処理を施した反射効率の高い反射部材２ａで構成することが好ましく、この場合、被検知部２の反射効率を周囲部の反射効率よりも高めることができ、受光部４で受ける光量を増加させて検知精度を高めることができる。
【００３１】
また、図５のように受光部４と発光部３を一体に構成して、カウンタ８に対して着脱自在に取り付けることが好ましく、この場合、受光部４及び発光部３の保守点検を容易に行うことができる。図５の例では受光部４と発光部３を本体ケース２０に内装してユニット２１を構成し、これにより受光部４と発光部３を一体に構成してある。なお、本例では受光部４と発光部３を一体に構成したユニット２１をカウンタ８の下面に着脱自在に設けたが、装置本体２１を被検知部２の位置等に合わせて、浴室１の壁７や、天井、浴槽５等の浴室１に備えられているその他の浴室構成部材に対して着脱自在に取り付けても良い。また、図５では装置本体２１を着脱自在に取り付ける手段をフック２２とこれに係止する突起２３により構成したが、吸盤やねじ等で構成しても良い。
【００３２】
また、上記制御部１９により汚れの程度を検知する際に受光部４の受光量と比較される閾値を変更するための閾値変更手段を備えることが好ましく、閾値変更手段としては使用者によって操作される操作部等が挙げられる。汚れていると感じるのは個々人によって異なるものであり、上記のように閾値を変更するための閾値変更手段を備えることで、検知される汚れの程度を個々人の感覚に合わせることができる。また、浴室１の環境変化等にも対応できる。
【００３３】
（第二実施例）
次に第二実施例について説明する。なお、以下の説明では第一実施例と同一の構成については同一の番号を付与し、重複する説明は省略する。
【００３４】
図６に示す本例の受光部４は被検知部２を透過した発光部３からの光を受けるものであり、該受光部４の受光量に基づいて制御部１９は第１実施例と同様に被検知部２の汚れの程度を検知する。即ち、被検知部２が汚れた場合、被検知部２を透過する光の透過量が減少し、このため発光部３から照射された光は受光部４に届き難くなるものであり、本例ではこれを利用して被検知部２の汚れの程度を検知する。
【００３５】
図６ではカウンタ８の下面に発光部３を有する発光ユニット１１を設けると共に、床面３１において発光ユニット１１に対向する箇所、即ち、カウンタ８の下方に位置する箇所に受光部４を有する受光ユニット１０を設けている。該受光ユニット１０の外郭を構成するケース１５の上面は図７に示すように床面３１から上方に露出して床面３１と略面一となり、該ケース１５の上面部において受光部４に対向する箇所にはカバー取付孔１３を設けている。該カバー取付孔１３には受光部４を保護するための透光性を有する保護カバー１７を着脱自在に取り付けてあり、本例では保護カバー１７の上面により被検知部２を構成している。
【００３６】
本例において被検知部２の汚れを検知する場合、制御部１９は、発光部３から被検知部２に向けて光を照射し、この光を被検知部２を構成する保護カバー１７を透過させて受光部４に到達させ、この時の受光部４の受光量に基づいて被検知部２の汚れの程度を検知する。
【００３７】
（第三実施例）
次に第三実施例について説明する。なお、以下の説明では第一実施例と同一の構成については同一の番号を付与し、重複する説明は省略する。
【００３８】
図８に示す本例の浴室汚れ検知装置は発光部３を備えていない。つまり受光部４は浴室１内の光を受けるものであり、該受光部４の受光量に基づいて汚れ検知手段は被検知部２の汚れの程度を検知する。
【００３９】
図示例では床面３１においてカウンタ８の下方に位置する箇所に受光部４を有する受光ユニット１０を設けてあり、該受光ユニット１０の構成は第二実施例と同様のものである。そして本例において被検知部２の汚れを検知する場合、制御部１９は、被検知部２を構成する保護カバー１７を透過して受光部４に到達した浴室１内の光の量に基づいて被検知部２の汚れの程度を検知する。
【００４０】
本例の浴室汚れ検知装置は、被検知部２を透過した浴室１内の光を受ける受光部４を利用し、簡単な構成により被検知部２の汚れの程度を検知できる。
【００４１】
（第四実施例）
次に第四実施例について説明する。なお、以下の説明では第一実施例と同一の構成については同一の番号を付与し、重複する説明は省略する。
【００４２】
図９に示す本例の浴室汚れ検知装置は、浴室１内において上記被検知部２を含む箇所、即ち浴室１の床面３１においてカウンタ８の下方に位置する部分（上記被検知部２及び近傍部分）を被洗浄部２４とし、該被洗浄部２４を洗浄する洗浄装置２５を備えている。洗浄装置２５は水や洗剤からなる洗浄液を吐出する吐出口２６を備えている。吐出口２６はカウンタ８の後端部の下方に位置し、この位置から図９（ｂ）のように下方の被洗浄部２４に向けて洗浄液を噴霧し、これにより被洗浄部２４上の汚れ３２は床面３１の他部に流れて除去される。
【００４３】
また制御部１９は被検知部２が汚れていることを検知した場合に、吐出口２６から自動的に被洗浄部２４に向けて洗浄液を噴射するように設定されている。つまり洗浄装置２５の制御手段を制御部１９により構成してある。
【００４４】
本例の浴室汚れ検知装置は、被検知部２が汚れた際には、被検知部２を含む被洗浄部２４を自動的に洗浄でき、これにより被洗浄部２４を清潔に保つことできる。なお、本例では既述の表示部１８を省略しても良い。また、本例は既述の第二実施例及び第三実施例にも適用可能である。
【００４５】
（第五実施例）
次に第五実施例について説明する。なお、以下の説明では第一実施例と同一の構成については同一の番号を付与し、重複する説明は省略する。
【００４６】
図１０に示す本例の浴室汚れ検知装置は、上記被検知部２を乾燥する乾燥手段を備えている。図示例の乾燥手段は浴室１内全体を換気する換気装置２７であり、浴室１の天井に設けてある。
【００４７】
また、制御部１９は上記換気装置２７による浴室１内の換気が一定時間以上行われた場合には、該換気装置２７の運転が停止した後に被検知部２の汚れの程度を自動的に検知するように設定してある。なお、換気装置２７の運転制御は図示しない操作部を操作することで行われるものとする。これにより常に換気装置２７により同様の乾燥状態とされた被検知部２の汚れの程度を検知でき、検知精度を高めることができる。
【００４８】
なお、上記では換気装置２７の停止の後に被検知部２の汚れの程度を検知したが、換気装置２７による浴室１内の換気が一定時間行われた時点で被検知部２の汚れの程度を検知しても良い。また、乾燥手段は被検知部２のみを乾燥する乾燥装置で構成しても良い。また本例は既述の第二〜第四実施例にも適用可能である。
【００４９】
（第六実施例）
次に第六実施例について説明する。なお、以下の説明では第一実施例と同一の構成については同一の番号を付与し、重複する説明は省略する。
【００５０】
本例では被検知部２が乾燥状態にあることを検知する乾燥状態検知手段を備えており、乾燥状態検知手段は浴室１内に設けた湿度センサ（図示せず）で構成してある。また、制御部１９は湿度センサにより浴室１内の湿度が所定値よりも低下した時、即ち乾燥状態検知手段により被検知部２が乾燥状態にあることを検知した時にのみ、被検知部２の汚れの程度を検知できるように設定してある。これにより被検知部２が同様の乾燥状態にある時にのみ被検知部２の汚れの程度を検知でき、検知精度を高めることができる。なお本例は既述の第二〜第四実施例にも適用可能である。
【００５１】
（第七実施例）
次に第七実施例について説明する。なお、以下の説明では第一実施例と同一の構成については同一の番号を付与し、重複する説明は省略する。
【００５２】
図１１に示す本例の浴室汚れ検知装置は、上記被検知部２に散水する散水装置２８を備えている。散水装置２８の散水口２９はカウンタ８の後端部の下方に位置し、該散水口２９からの散水が被検知部２と発光ユニット１１及び受光ユニット１０の夫々の保護カバー１４、１７に当たるようにカウンタ８の突出方向に向けられている。
【００５３】
また、制御部１９は、散水装置２８の散水口２９から所定量の水を散水して被検知部２と発光ユニット１１及び受光ユニット１０の夫々の保護カバー１４、１７に水を散水した後に被検知部２の汚れの程度を検知するように設定されている。これにより被検知部２と発光ユニット１１及び受光ユニット１０の夫々の保護カバー１４、１７が同様に濡れた状態で被検知部２の汚れの程度を検知でき、検知精度を高めることができる。
【００５４】
なお、本例では被検知部２だけではなく発光ユニット１１及び受光ユニット１０の夫々の保護カバー１４、１７にも散水装置２８により散水するようにしたが、このうち被検知部２にのみ散水するものであっても良いし、発光ユニット１１及び受光ユニット１０の夫々の保護カバー１４、１７にのみ散水するものであっても良い。また、本例は既述の第二〜第四実施例にも適用可能である。
【図面の簡単な説明】
【００５５】
【図１】本発明の実施の形態の一例の概略構成図である。
【図２】同上の発光ユニットの断面図である。
【図３】同上の受光ユニットの断面図である。
【図４】被検知部を反射部材で構成した例を示す概略構成図ある。
【図５】受光部及び発光部を一体に設けた例を示す概略構成図ある。
【図６】他例の概略構成図である。
【図７】同上の受光ユニットの断面図である。
【図８】更に他例の概略構成図である。
【図９】更に他例の概略構成図であり、（ａ）は汚れ検知時を示し、（ｂ）は洗浄時を示す。
【図１０】更に他例の概略構成図である。
【図１１】更に他例の概略構成図である。
【符号の説明】
【００５６】
１  浴室
２  検知部
２ａ  反射部材
３  発光部
４  受光部
５  浴槽
６  エプロン
７  壁
２４  被洗浄部
２５  洗浄装置
【図１】
2009125511.tif 000003
【図２】
2009125511.tif 000004
【図３】
2009125511.tif 000005
【図４】
2009125511.tif 000006
【図５】
2009125511.tif 000007
【図６】
2009125511.tif 000008
【図７】
2009125511.tif 000009
【図８】
2009125511.tif 000010
【図９】
2009125511.tif 000011
【図１０】
2009125511.tif 000012
【図１１】
2009125511.tif 000013